(57)【要約】【課題】  前面側の下部に操作パネルを設けた場合でも、扉を水平位置まで開いたときに焼網を十分に手前まで引き出すことができて調理物の出し入れが容易なオーブントースタを提供する。【解決手段】  本体パネル２の左右の側部に形成されたガイド用長孔２４は、開口部７側に向かうに従って若干上昇するような傾斜をもって直線状に形成され、また各アーム２７は前後方向に沿って略への字形に形成されている。焼網４の左右の両側部には前後一対のガイドピン２２，２３が突設されてガイド用長孔２４に挿通され、後方側の各ガイドピン２２には本体パネル２の側部に取り付けられた引張バネ２６が掛止される一方、前方側の各ガイドピン２３にはアーム２７の後端部が揺動自在に取り付けられている。【選択図】  図１
2008286426.tif 000002
【特許請求の範囲】
【請求項１】
オーブン庫内にヒータが配置された本体部には、その前面側に前記オーブン庫に対する調理物の出入用の開口部を開閉する扉が開閉自在に取り付けられるとともに、この扉の取付位置の下部に操作パネルが設けられ、また、前記オーブン庫内には焼網が配置され、この焼網は前記オーブン庫を構成する本体パネルの左右の側部にそれぞれ形成されたガイド用長孔に沿って摺動可能に設けられ、この焼網と前記扉とが左右一対のアームを介して連結されているオーブントースタにおいて、
前記ガイド用長孔は、前記開口部側に向かうに従って若干上昇するような傾斜をもって直線状に形成され、また、前記各アームは前後方向に沿って略への字形に形成され、さらに、前記焼網の左右の両側部にはそれぞれ前後一対のガイドピンが外方に向けて突設されて前記ガイド用長孔に挿通されており、これらのガイドピンの内、後方側の各ガイドピンには前記本体パネルの側部に一端が取り付けられた引張バネの他端が掛止される一方、前方側の各ガイドピンには前記扉に前端部が揺動自在に連結されたアームの後端部が揺動自在に取り付けられていることを特徴とするオーブントースタ。
【請求項２】
前記各アームの前端部には前記扉の左右端に設けられたフック部に対して着脱される掛止孔が形成されるとともに、前記扉と本体部とを着脱する着脱機構を備えることを特徴とする請求項１記載のオーブントースタ。
【発明の詳細な説明】
【技術分野】
【０００１】
本発明は、オーブントースタに係り、特には焼網と扉との連動機構に関する。
【背景技術】
【０００２】
従来のオーブントースタにおいては、本体部内部のオーブン庫への調理物の出し入れをし易くするために、本体部の前面側の開口部に設けられた扉とオーブン庫内に配置された調理物載置用の焼網との間をアームで連結して扉の開閉に応じて焼網が連動する構成とし、扉を水平位置まで開くと焼網がアームで引っ張られてオーブン庫内から開口部の前方まで引き出されるようにしたものが提供されている（例えば、特許文献１参照）。
【０００３】
【特許文献１】実開昭５４−６７０６２号公報
【発明の開示】
【発明が解決しようとする課題】
【０００４】
しかしながら、特許文献１記載の従来技術のものは、アームが直線状に形成されていて、扉の開閉に応じてアームが前後にストレートに摺動する構成となっている。このため、特に、本体部の前面側の開口部の下部に操作パネルを設けた構成の場合、扉を開いたときに焼網を十分に手前に引っ張り出すことが困難になる。
【０００５】
すなわち、一度に調理できる調理物を増量したり調理物の形状を大きくしたりする上で、温調用ノブやタイマ用ノブを有する操作パネルを扉の取付位置の下部に設けて本体部の開口部の横幅を大きく確保した構成を採用する場合がある。その際、製品規格上、本体部全体の高さが規定されていると、開口部の下部に操作パネルを設けた分、扉の上下幅が短くなる。すると、扉の開閉時の円弧軌道も短くなるので、アームが直線形状の場合、扉の開閉に伴うアームの摺動量も少なくなり、扉を開いたときに焼網を十分に手前に引っ張り出すことができず、さらに、扉を閉じるときにはアームが突っ張った状態となり、扉を閉じにくくなり易く、調理物の出し入れに支障をきたす。
【０００６】
また、扉の開閉に伴う各アームの横振れを防いで引き出しを円滑に行えるようにするため、本体パネルの左右の前面に挿通孔を形成し、この挿通孔にアームを挿通する場合、従来のように、扉の開閉に応じてアームが前後にストレートに摺動する構成のものでは、扉の開閉に伴ってアームの位置がかなり上下に変動するので、挿通孔の上下方向の長さも長くする必要がある。すると、挿通孔の形成位置が操作パネルの位置と干渉し、十分な大きさの挿通孔を形成することができないことが起こる。これを避けるために、挿通孔を小さくすると、扉が水平位置になるまで開くことができなくなって焼網を十分に手前に引っ張り出すことができないので、調理物の出し入れが不便になる。
【０００７】
また、従来技術では、焼網のガイド用長孔を円弧状に形成したものも提供されているが、この構成のものでは、扉の開閉に伴ってオーブン庫内で焼網も円弧状に動くので、焼網の昇降量が大きくなり、円弧状の動きの頂点で焼網に載置された調理物が本体パネルの天井やヒータに引っ掛かってしまうという不具合を生じ易い。
【０００８】
さらに、オーブン庫内に対面する扉の内側は調理物からの油性分の飛散等によって汚れ易く、扉に設けられているガラス窓の内側が汚れるとオーブン庫内の調理状況が分かりずらくなるとともに、汚れたままでは不潔でもあるので、扉を取り外して清潔さを保つことが要望される。しかし、従来のオーブントースタは、アームが扉にかしめ止めされるなどして扉を自由に着脱できるようにしたものがなく、扉の内側が汚れたときにこれを取り外して洗浄するなどの手入れをすることが困難で、清潔さを保つ上で不便である。
【０００９】
本発明は、上記の課題を解決するためになされたもので、本体部の前面側の開口部の下部に操作パネルを設けた構成の場合でも、扉を水平位置まで開いたときに焼網を十分に手前まで引き出すことができて調理物の出し入れを容易に行うことができ、しかも、扉を本体部およびアームに対して容易に着脱することができて扉の手入れが簡単で、常に清潔さを保つことができるオーブントースタを提供することを目的とする。
【課題を解決するための手段】
【００１０】
上記の目的を達成するために、本発明は、オーブン庫内にヒータが配置された本体部には、その前面側に前記オーブン庫に対する調理物の出入用の開口部を開閉する扉が開閉自在に取り付けられるとともに、この扉の取付位置の下部に操作パネルが設けられ、また、前記オーブン庫内には焼網が配置され、この焼網は前記オーブン庫を構成する本体パネルの左右の側部にそれぞれ形成されたガイド用長孔に沿って摺動可能に設けられ、この焼網と前記扉とが左右一対のアームを介して連結されているオーブントースタにおいて、次の構成を採用している。
【００１１】
すなわち、請求項１記載に係る発明では、前記ガイド用長孔は、前記開口部側に向かうに従って若干上昇するような傾斜をもって直線状に形成され、また、前記各アームは前後方向に沿って略への字形に形成され、さらに、前記焼網の左右の両側部にはそれぞれ前後一対のガイドピンが外方に向けて突設されて前記ガイド用長孔に挿通されており、これらのガイドピンの内、後方側の各ガイドピンには前記本体パネルの側部に一端が取り付けられた引張バネの他端が掛止される一方、前方側の各ガイドピンには前記扉に前端部が揺動自在に連結されたアームの後端部が揺動自在に取り付けられていることを特徴としている。
【００１２】
請求項２記載に係る発明では、請求項１記載の発明の構成において、前記各アームの前端部には前記扉の左右端に設けられたフック部に対して着脱される掛止孔が形成されるとともに、前記扉と本体部とを着脱する着脱機構を備えることを特徴としている。
【発明の効果】
【００１３】
請求項１記載の発明によれば、各アームは前後方向に沿って略への字形に形成されているので、扉の上下幅が短いものでも、扉の開閉に伴うアームの動作軌道が大きくなって焼網のスライド量も大きくなる。したがって、扉を水平位置まで開いたときには焼網を十分に手前まで引き出すことができる。また、ガイド用長孔は直線状に形成されているので、円弧状に形成されたものに比べて扉の開閉に伴う焼網の高さの変化が少ない。したがって、焼網に載置される調理物の背が幾分高くても、本体パネルの天井やヒータに引っ掛かる恐れが少ない。このため、従来に比べて調理物の出し入れを容易に行うことができる。しかも、焼網はその左右の両側部に設けた前後一対のガイドピンがガイド用長孔に沿って摺動するので、左右一対のガイドピンのみを設けた場合に比べて摺動時の強度を十分に保つことができる。
【００１４】
請求項２記載の発明によれば、請求項１記載の発明の効果に加えて、アームならびに本体部に対して扉を容易に着脱することができるので、扉の手入れが簡単で、常に清潔さを保つことができる。
【発明を実施するための最良の形態】
【００１５】
図１は本発明の実施の形態におけるオーブントースタの外装ケースを除いた全体を示す側面図、図２は同オーブントースタの本体部の外装ケースを除いた全体を示す斜視図、図３は同オーブントースタの本体部を底面側から見た斜視図、図４は同オーブントースタの側面断面図、図５は同オーブントースタの正面右側を示す断面図、図６は同オーブントースタの正面右側の要部を示す斜視図である。
【００１６】
この実施の形態のオーブントースタは、本体部１を備え、この本体部１は上下左右および後端部を囲む本体パネル２によってその内部にオーブン庫３が形成されている。そして、このオーブン庫３の内部には、焼網４が配置されるとともに、この焼網４を挟む上下には本体パネル２の左右対向する側部間にわたる複数本（本例では３本）の石英管ヒータ５が設けられている。なお、６は石英管ヒータ５への通電保持用の碍子である。
【００１７】
ここで、本体パネル２のオーブン庫３内に面する周囲の内壁は、凹状または凸状のディンプル加工が施されていることが望ましい。このようなディンプル加工を施せば、石英管ヒータ５の輻射熱を熱反射する際に、熱反射を有効に拡散することができ、オーブン庫３内の温度を均一化できるので、調理物に焼きむらが生じるのを防ぐ上で役立つ。
【００１８】
さらに、本体パネル２のオーブン庫３内に面する左右の側部と底部との間にはそれぞれ両者間を固定する斜め反射板１２が設けられている（図４〜図６参照）。本体パネル２の左右の側部付近は石英管ヒータ５が碍子６で保持されていてヒータ線がないので、比較的加熱温度が低く、調理物の焼きむらが生じ易い箇所であるが、この実施の形態のように斜め反射板１２を設けることにより、オーブン庫３内への熱反射を促進することができ、庫内温度を均一化することができる。また、この斜め反射板１２は、本体パネル２の底部に着脱自在に設けられた屑受けトレイ１３に向けて傾斜しているので、オーブン庫３内の隅に屑が集まるのを防止することができるとともに、屑受けトレイ１３の浮き上がりを押さえて位置決めする役目を同時に果たすことができる。
【００１９】
また、この本体部１の前面側にはオーブン庫３に対する調理物の出入用の開口部７が設けられるとともに、この開口部７を開閉する扉８が開閉自在に取り付けられている。また、本体部１の開口部７の扉８の取付位置の下部には操作パネル９が設けられている。そして、この操作パネル９には温調用ノブ１０やタイマ用ノブ１１が取り付けられている。
【００２０】
上記の扉８は、図７（ａ），（ｂ）に示すように、その中央部にガラス窓１５が設けられ、このガラス窓１５よりも上部には扉開閉用の把手１６が取り付けられている。また、扉８のガラス窓１５よりも外側の左右の各端部には後述するアーム２７の先端に掛止される突起１７ａを有するフック部１７が設けられ、また、扉８の開閉中心側の下端部には左右一対のヒンジ片１８が突設され、各ヒンジ片１８には一部を横方向に切り欠いて切欠部１８ａが形成されている。
【００２１】
一方、本体部１のオーブン庫３内に配置されている焼網４は、枠体２０とこの枠体２０の上に載置される網体２１とからなる。そして、図８に示すように、枠体２０の左右の両側部にはそれぞれ前後一対のガイドピン２２，２３が外方に向けて突設されている。そして、これらのガイドピン２２，２３は、ブッシュ４０が外嵌された状態で本体パネル２の左右の側部にそれぞれ形成されたガイド用長孔２４に挿入されている。これにより焼網４の枠体２０がガイド用長孔２４に沿って摺動可能に設けられている。
【００２２】
これらの左右の各ガイド用長孔２４は、本体パネル２の開口部７側に向かうに従って若干上昇するような傾斜をもって前後方向に沿って直線状に形成されている。そして、後方側の左右のガイドピン２２のガイド用長孔２４からの突出箇所には引張バネ２６の一端が掛止され、各引張バネ２６の他端は本体パネル２の左右の側部に設けたピン２５に掛止されている。これにより、焼網４の枠体２０がオーブン庫３の奥側に向けて付勢されている。さらに、前方側の左右のガイドピン２３のガイド用長孔２４からの突出箇所には、略くの字形をしたアーム２７の後端部がそれぞれ取り付けられている。
【００２３】
このように、この実施の形態では、焼網４の枠体２０に前後一対のガイドピン２２，２３を設け、各ガイドピン２２，２３をガイド用長孔２４に挿通しているので、扉８の開閉に伴って焼網４がガイド用長孔２４に沿って円滑に摺動する。また、引張バネ２６とアーム２３とを個々のガイドピン２２，２３に別々に取り付けているので、焼網４の左右に一つのガイドピンのみを設け、そのガイドピンに引張バネとアームを共に取り付けた構成に比べて負荷が分散され、摺動時の強度を十分に保つことができる。
【００２４】
そして、アーム２７の前端部には、図９に示すように、扉８の左右に設けられた前述のフック部１７の突起１７ａを着脱可能に掛止する大小の穴がつながったダルマ形の掛止孔２８が形成されている。また、アーム２７の掛止孔２８よりも前方の先端部にはＬ字形に屈曲された堰止部２９が形成されている。そして、各アーム２７の前端部は、本体パネル２の左右の側部前面のフランジ部にそれぞれ形成された挿通孔３１に挿通されており、上記の堰止部２９はこの挿通孔３１よりも前方側に位置している。
【００２５】
したがって、アーム２７の前方側の掛止孔２８に扉８のフック部１７を掛止することにより、扉８と焼網４の枠体２０とが左右一対のアーム２７を介して連結される。また、扉８を取り外した場合でも、アーム２７の先端の堰止部２９が本体パネル２の挿通孔３１の周辺で堰止められるので、アーム２７が本体部１の内部に不意に入り込んでしまうのが阻止される。このため、扉８の洗浄後は、扉８のフック部１７をアーム２７の掛止孔２８に簡単に嵌着して扉８とアーム２７とを連結することができる。
【００２６】
また、この実施の形態では、扉８と本体部２とを着脱する着脱機構３０を備えている。この着脱機構３０は、図３、図１０、図１１に示すように、本体部１の開口部７に近接した位置に本体パネル２の左右対向する側部間にわたって扉開閉軸３２が回動自在かつ軸方向に摺動可能に架設されている。そして、この扉開閉軸３２には、軸方向に沿う左右に扉８のヒンジ片１８の切欠部１８ａに対して着脱される差込金具３３が、また、この左右の差込金具３３で挟まれた中間位置には操作レバー３４がそれぞれ固定されている。差込金具３３は、扉開閉軸３２の取付部から円弧状の差込片３３ａが突出形成されて構成されている。さらに、この扉開閉軸３２の前方から見て右側の差込金具３３と本体パネル２との間の箇所には、圧縮バネ３５がはめ込まれており、この圧縮バネ３５によって差込金具３３の差込片３３ａが扉８のヒンジ片１８の切欠部１８ａに向けて差込まれるように付勢されている。
【００２７】
また、この扉開閉軸３２に並行して本体パネル２の左右の側部間わたって前述の操作パネル９の取付用の横渡板３６が架設されており（図２参照）、この横渡板３６には、操作レバー３４を係止して圧縮バネ３５の付勢力に抗して差込金具３３をヒンジ片１８の切欠部１８ａから離脱した状態に保持するＬ字状に切り欠いた係止穴３７が形成されている。そして、この係止孔３７に上記の操作レバー３４の操作ピン３４ａが挿入されている。
【００２８】
上記構成を有するオーブントースタにおいて、扉８を本体部１に取り付けた状態で扉８を開くと、これに連動して扉８に連結されたアーム２７により焼網４が引張バネ２６のバネ力に抗して手前側に向けて引っ張られてオーブン庫３内から開口部７の前方まで引き出されることになる。
【００２９】
この場合、本体部１の前面側の開口部７の下部に操作パネル９を設けることで、扉８の上下幅が短くなっているものでも、各アーム２７が前後方向に沿って略への字形に形成されているので、扉８の開閉に伴うアーム２７の動作軌道が大きくなって焼網４のスライド量も大きくなる。したがって、扉８を水平位置まで開いたときには焼網４を十分に手前まで引き出すことができる。また、ガイド用長孔２４は若干の傾斜があるものの直線状に形成されているので、扉８の開閉に伴う焼網４の高さの変化が少なく、したがって、焼網４に載置される調理物の背が幾分高くても、本体パネル２の天井や石英管ヒータ５に引っ掛かる恐れが少ない。そのため、従来に比べて調理物の出し入れを容易に行うことができる。
【００３０】
次に、扉８を着脱する場合の操作について説明する。
扉８を本体部１から取り外すには、まず、扉８を略開いた状態でアーム２７を撓ませてフック部１７を掛止孔２８から離脱させる。次に、操作レバー３４を操作して扉開閉軸３２を軸方向に沿って移動させて操作ピン３４ａを横渡板３６の係止穴３７に係止する。すると、圧縮バネ３５の付勢力に抗して差込金具３３の差込片３３ａがヒンジ片１８の切欠部１８ａから離脱した状態に保持されるので、扉８を本体部１から取り外すことができる。
【００３１】
一方、扉８を洗浄するなどの手入れをした後に、扉８を本体部１に取り付けるには、扉８のヒンジ片１８の切欠部１８ａを差込金具３３の差込片３３ａの側面と対向するようにしておいて、操作レバー３４の操作ピン３４ａが横渡板３６の係止穴３７に係止されている状態を解除する。すると、圧縮バネ３５のバネ力より差込金具３３の差込片３３ａがヒンジ片１８の切欠部１８ａに差し込まれて扉８が本体部１に自動的に連結される。
【００３２】
続いて、左右の各アーム２７を手前側に引き出してアーム２７の先端部の掛止孔２８に扉８のフック部１７の突起１７ａを挿入する。これにより、扉８が本体部１に開閉自在に連結されるとともに、アーム２７にも連結される。
【００３３】
このように、この実施の形態では、本体部１およびアーム２７に対して扉８を容易に着脱できるので、扉８の手入れが簡単で、常に清潔さを保つことができる。
【図面の簡単な説明】
【００３４】
【図１】本発明の実施の形態におけるオーブントースタの外装ケースを除いた全体を示す側面図である。
【図２】同オーブントースタの本体部の外装ケースを除いた全体を示す斜視図である。
【図３】同オーブントースタの本体部を底面側から見た斜視図である。
【図４】同オーブントースタの側面断面図である。
【図５】同オーブントースタの正面右側を示す断面図である。
【図６】同オーブントースタの正面右側の要部を示す斜視図である。
【図７】同オーブントースタの扉を示す斜視図で、同図（ａ）は扉の前面側、同図（ｂ）は扉の背面側をそれぞれ示している。
【図８】焼網とアームとの連結部分の要部を示す斜視図である。
【図９】扉と焼網の枠体とがアームで連結される状態を示す分解斜視図である。
【図１０】着脱機構の要部を示す斜視図である。
【図１１】扉のヒンジ部が着脱機構に取り付けられた状態を示す側面断面図である。
【符号の説明】
【００３５】
１    本体部
２    本体パネル
３    オーブン庫
４    焼網
７    開口部
８    扉
９    操作パネル
１７    フック部
２２    ガイドピン
２３    ガイドピン
２４    ガイド用長穴
２７    アーム
２８    掛止孔
３０    着脱機構
【図１】
2008286426.tif 000003
【図２】
2008286426.tif 000004
【図３】
2008286426.tif 000005
【図４】
2008286426.tif 000006
【図５】
2008286426.tif 000007
【図６】
2008286426.tif 000008
【図７】
2008286426.tif 000009
【図８】
2008286426.tif 000010
【図９】
2008286426.tif 000011
【図１０】
2008286426.tif 000012
【図１１】
2008286426.tif 000013